(57)【要約】  【目的】  本発明はプレッシャーレギュレターの排出孔からポンプ収納凹部内に排出されるリターン燃料によって発生する気泡の影響を排除し、もって燃料噴射弁より安定した燃料を正確に且つ連続して供給することのできる燃料供給ユニットを提供することを目的とする。  【構成】  本発明は燃料ポンプユニット装置において、ポンプ収納凹部１ｃを、仕切壁５にて燃料流入室７とポンプ室６とに区分し、燃料流入室７内に燃料流入孔４を開口するとともにポンプ室６の上部にレギュレター燃料排出孔２を開口し、前記ポンプ室内に燃料ポンプＰを配置するとともに燃料ポンプＰのポンプ吸入路Ｐａを仕切壁５を介して燃料流入室７内に突出配置し、燃料流入室７内に配置されるストレーナＳを燃料流入室７内に突出するポンプ吸入路Ｐａに接続し、更に、ポンプカバー１３に配置されるプレッシャーレギュレターＲの排出孔Ｒｄをポンプ室６内に開口したものである。【選択図】  図１
2006152814.tif 000002
【特許請求の範囲】
【請求項１】
有底カップ状のポンプ収納凹部が凹設されたポンプボデーと、ポンプ収納凹部の開口を閉塞するポンプカバーと、を有し、ポンプ収納凹部内に燃料ポンプが収納配置されるとともにポンプカバーにプレッシャーレギュレターが配置される燃料ポンプユニット装置において、ポンプ収納凹部１ｃを、仕切壁５にて燃料流入室７とポンプ室６とに区分し、燃料流入室７内に燃料流入孔４を開口するとともにポンプ室６の上部にレギュレター燃料排出孔２を開口し、前記ポンプ室内に燃料ポンプＰを配置するとともに燃料ポンプＰのポンプ吸入路Ｐａを仕切壁５を介して燃料流入室７内に突出配置し、燃料流入室７内に配置されるストレーナＳを燃料流入室７内に突出するポンプ吸入路Ｐａに接続し、更に、ポンプカバー１３に配置されるプレッシャーレギュレターＲの排出孔Ｒｄをポンプ室６内に開口したことを特徴とする燃料ポンプユニット装置。
【請求項２】
有底カップ状のポンプ収納凹部が凹設されたポンプボデーと、ポンプ収納凹部の開口を閉塞するポンプカバーと、を有し、ポンプ収納凹部内に燃料ポンプが収納配置されるとともにポンプカバーにプレッシャーレギュレターが配置される燃料ポンプユニット装置において、ポンプ収納凹部１ｃを、仕切壁５にて燃料流入室７とポンプ室６とに区分し、燃料流入室７内に燃料流入孔４を開口し、ポンプ室６の上部にレギュレター燃料排出孔２を開口するとともに燃料流入室７の上部とレギュレター燃料排出孔２とをエア抜き通路２０にて連絡し、前記ポンプ室内の燃料ポンプＰを配置するとともに燃料ポンプＰのポンプ吸入路Ｐａを仕切壁５を介して燃料流入室７内に突出配置し、燃料流入室７内に配置されるストレーナＳを燃料流入室７内に突出するポンプ吸入路Ｐａに接続し、更に、ポンプカバー１３に配置されるプレッシャーレギュレターＲの排出孔Ｒｄをポンプ室６内に開口したことを特徴とする燃料ポンプユニット装置。
【発明の詳細な説明】
【技術分野】
【０００１】
本発明は燃料タンク内の燃料を燃料ポンプで昇圧し、この昇圧された燃料をプレッシャーレギュレターによって所定の燃料圧力に調圧し、この調圧された燃料を燃料噴射弁に向けて供給する燃料供給装置に関し、そのうちカップ状のケースに燃料ポンプとプレッシャーレギュレターとが配置される燃料ポンプユニット装置に関する。
【背景技術】
【０００２】
従来の燃料ポンプユニット装置について図２により説明する。
１０は、上方の鍔部１０ａから下方に向かってポンプ収納凹部１０ｂが凹設されたポンプボデーであり、ポンプ収納凹部１０ｂ内の底部近傍には上方の開口１０ｃに臨む係止段部１０ｄが内方に向かって突出形成される。
又、ポンプ収納凹部１０ｂの側壁には燃料流入孔１１とレギュレター燃料排出孔１２とが開口して形成される。
１３はポンプボデー１０の鍔部１０ａに当接されてポンプ収納凹部１０ｂの開口１０ｃを閉塞するポンプカバーであり、ポンプカバー１３には、燃料吐出孔１４とレギュレター収納凹部１５と、燃料吐出孔１４とレギュレター収納凹部１５とを連絡するレギュレター燃料流入孔１６と、が形成される。
前記燃料吐出孔は上方からポンプカバー１３の下面１３ａに向かって貫通して穿設され、レギュレター収納凹部１５は上方から下方に向かって凹設され、レギュレター燃料流入孔１６は燃料吐出孔１４からレギュレター収納凹部１５の側壁に向かって穿設され、更にレギュレター収納凹部１５の底部は連通孔１５ａを介してポンプカバー１３の下面１３ａに開口して穿設される。
そして、ポンプカバー１３のレギュレター収納凹部１５内にプレッシャーレギュレターＲが挿入配置されるとともにプレッシャーレギュレターＲは押圧板１７を介してポンプカバー１３に螺着固定される。かかる状態において、レギュレター燃料流入孔１６は、レギュレター収納凹部１５、流入孔Ｒａを介してプレッシャーレギュレターＲの燃料室Ｒｂに連絡される。一方、燃料室Ｒｂは弁座Ｒｃを介して排出孔Ｒｄに連絡され、更に排出孔Ｒｄは連通孔１５ａを介してポンプカバー１３の下面１３ａに開口する。
そして、燃料ポンプユニット装置Ｕは以下によって形成される。
まず、ポンプ収納凹部１０ｂの開口１０ｃよりポンプボデー１０内に燃料ポンプＰが配置されるもので、このとき燃料ポンプＰの下端Ｐｃはポンプ収納凹部１０ｂの係止段部１０ｄ上に配置された平板状の係止部材１７上に当接配置され、下端Ｐｃより下方に延びるポンプ吸入路ＰａにはストレーナＳが取着される。
次いで、ポンプボデー１０の鍔部１０ａ上にプレッシャーレギュレターＲを備えるポンプカバー１３の下面１３ａが当接されるとともに燃料ポンプＰの上端Ｐｄより上方に突出するポンプ吐出路Ｐｂが燃料吐出孔１４内に挿入され、この状態でポンプカバー１３がポンプボデー１０に螺着固定される。
以上によると、燃料ポンプＰは、係止部材１７とポンプカバー１３の下面１３ａとの間に挟持されてポンプ収納凹部１０ｂ内に配置されるとともにポンプ吸入路Ｐａに接続されるストレーナＳがポンプ収納凹部１０ｂの底部近傍に配置される。
又、ポンプ吐出路Ｐｂは、ポンプカバー１３に穿設される燃料吐出孔１４に挿入されて燃料吐出孔１４に接続される。
更にプレッシャーレギュレターＲの排出孔Ｒｄは連通孔１５ａを介してポンプカバー１３の下面１３ａに開口し、ポンプ収納凹部１０ｂ内に向けて開口する。
以上によって燃料ポンプＰ、ストレーナＳ、プレッシャーレギュレターＲを備える燃料ポンプユニット装置Ｕが形成されるもので、燃料流入孔１１は燃料流入管Ｌａをもって燃料タンクに接続され、レギュレター燃料排出孔１２は、レギュレター排出管Ｌｂをもって燃料タンクに接続され、燃料吐出孔１４は、燃料吐出管Ｌｃをもって燃料噴射弁に接続される。
（前記燃料タンク、燃料噴射弁は図示されていない）
以上よりなる燃料ポンプユニット装置Ｕによると、燃料タンク内の燃料は、燃料流入管Ｌａ、燃料流入孔１１を介してポンプ収納凹部１０ｂ内に供給され、ポンプ収納凹部１０ｂ内の燃料は、ストレーナＳによって異物が除去され、清浄な燃料がポンプ吸入路Ｐａを介して燃料ポンプＰ内に吸入される。
燃料ポンプＰによって昇圧された燃料は、ポンプ吐出路Ｐｂを介して燃料吐出孔１４内に吐出されるもので、燃料吐出孔１４内の燃料の一部はレギュレター燃料流入孔１６、レギュレター収納凹部１５、流入孔Ｒａを介してプレッシャーレギュレターＲの燃料室Ｒｂ内に供給される。
そして、プレッシャーレギュレターＲは、燃料室Ｒｂに作用する燃料圧力とレギュレタースプリング１８とのバランス作用によって弁座Ｒｃが開閉制御され、これによって燃料吐出孔１４内を流れる燃料圧力が所定の圧力に調圧される。
そして、燃料室Ｒｂから、弁座Ｒｃ、排出孔Ｒｄに流下するリターン燃料はポンプカバー１３の連通孔１５ａを介してポンプ収納凹部１０ｂ内に排出され、更にポンプ収納凹部１８内に貯溜したリターン燃料は、レギュレター燃料排出孔１２、レギュレター排出管Ｌｂを介して燃料タンクへと戻される。
【発明の開示】
【発明が解決しようとする課題】
【０００３】
かかる従来の燃料ポンプユニット装置によると、排出孔Ｒｄより連通孔１５ａを介してポンプ収納凹部１０ｂ内へ排出されるリターン燃料は、ポンプカバー１３の下面１３ａに開口する連通孔１５ａから略垂直方向にポンプ収納凹部１０ｂ内へ落下するもので、これによると燃料流入孔１１からポンプ収納凹部１０ｂ内に供給され、ポンプ収納凹部１０ｂ内の底部に貯溜する燃料を波立たせ、この燃料中に波立ちによって気泡を混入させる。
そして、かかる気泡はストレーナＳ、ポンプ吸入路Ｐａを介して燃料ポンプＰ内へ吸入されることがあり、これによると、燃料ポンプＰからポンプ吐出路Ｐｂに向けて吐出される燃料中に前記気泡が混入されることがあり、燃料噴射弁Ｊから噴射される燃料が断続的になったり、あるいは正確な燃料の供給を行なうことができない。
【０００４】
本発明になる燃料供給ユニット装置は前記不具合に鑑み成されたもので、プレッシャーレギュレターの排出孔からポンプ収納凹部内に排出されるリターン燃料によって発生する気泡の影響を排除し、もって燃料噴射弁より安定した燃料を正確に且つ連続して供給することのできる燃料供給ユニットを提供することを目的とする。
【課題を解決するための手段】
【０００５】
本発明になる燃料供給ユニット装置は、前記目的を達成する為に、有底カップ状のポンプ収納凹部が凹設されたポンプボデーと、ポンプ収納凹部の開口を閉塞するポンプカバーと、を有し、ポンプ収納凹部内に燃料ポンプが収納配置されるとともにポンプカバーにプレッシャーレギュレターが配置される燃料ポンプユニット装置において、ポンプ収納凹部を、仕切壁にて燃料流入室とポンプ室とに区分し、燃料流入室内に燃料流入孔を開口するとともにポンプ室の上部にレギュレター燃料排出孔を開口し、前記ポンプ室内に燃料ポンプを配置するとともに燃料ポンプのポンプ吸入路を仕切壁を介して燃料流入室内に突出配置し、燃料流入室内に配置されるストレーナを燃料流入室内に突出するポンプ吸入路に接続し、更に、ポンプカバーに配置されるプレッシャーレギュレターの排出孔をポンプ室内に開口したことを第１の特徴とする。
【０００６】
又、本発明は、有底カップ状のポンプ収納凹部が凹設されたポンプボデーと、ポンプ収納凹部の開口を閉塞するポンプカバーと、を有し、ポンプ収納凹部内に燃料ポンプが収納配置されるとともにポンプカバーにプレッシャーレギュレターが配置される燃料ポンプユニット装置において、ポンプ収納凹部を、仕切壁にて燃料流入室とポンプ室とに区分し、燃料流入室内に燃料流入孔を開口し、ポンプ室の上部にレギュレター燃料排出孔を開口するとともに燃料流入室の上部とレギュレター燃料排出孔とをエア抜き通路にて連絡し、前記ポンプ室内の燃料ポンプを配置するとともに燃料ポンプのポンプ吸入路を仕切壁を介して燃料流入室内に突出配置し、燃料流入室内に配置されるストレーナを燃料流入室内に突出するポンプ吸入路に接続し、更に、ポンプカバーに配置されるプレッシャーレギュレターの排出孔をポンプ室内に開口したことを第２の特徴とする。
【発明の効果】
【０００７】
本発明の第１の特徴によると、ポンプ収納凹部は仕切壁によって燃料流入室とポンプ室とに区分され、ポンプ室内に燃料ポンプが配置されるとともにプレッシャーレギュレターの排出孔が連通孔を介して開口配置されるとともにレギュレター燃料排出孔が開口配置される。
又、燃料流入室内には燃料ポンプのポンプ吸入路が突出配置され、このポンプ吸入路に燃料流入室内に配置されるストレーナが接続され、更に燃料流入室内に燃料流入孔が開口配置される。
以上によると、レギュレターの排出孔から連通孔を介してポンプ室内へプレッシャーレギュレターのリターン燃料が排出されるもので、ポンプ室の底部に貯溜される燃料に向かってリターン燃料が落下し、この燃料に波立ちが生じ、燃料中に気泡が生じたとしても、この気泡が燃料流入室内へ進入することがない。
燃料ポンプは燃料流入孔から燃料流入室内へ流入する燃料のみをストレーナ、ポンプ吸入路を介して吸入するので、燃料ポンプのポンプ吐出路から吐出される燃料中に前記気泡が混入されることがなく、燃料噴射弁より正確な燃料を連続的に供給できる。
【０００８】
又、本発明の第２の特徴によると、前記第１の特徴に加え、燃料流入孔から燃料流入室内へ進入する気泡は、燃料流入室の上部に収束し、この気泡がエア抜き通路を介してポンプ室の上部に形成されるレギュレター燃料排出路に排出される。
従って、燃料流入孔から仮に燃料流入室に気泡が進入しても、即座にエア抜き通路を介してレギュレター燃料排出孔に排出でき、燃料ポンプが気泡を吸いこむことがないので、燃料噴射弁より正確な燃料を連続的に供給できる。
【発明を実施するための最良の形態】
【０００９】
以下、本発明になる燃料ポンプユニット装置の一実施例について図１により説明する。
尚、プレッシャーレギュレターを含むポンプカバーは図２のものと同一のものが使用される。又、図２と同一構造部分は同一符号を使用して説明を省略する。
１は上方鍔部１ａから下方鍔部１ｂに向けてポンプ収納凹部１ｃが貫通して穿設されたポンプボデーであり、その上部は上方開口１ｄをもって上方に開口し、下部は環状の係止段部１ｅをもって下方に開口し、更に上方開口１ｄの近傍にはポンプ収納凹部１ｃ内に向けてレギュレター燃料排出孔２が開口する。
３はポンプボデー１の下方鍔部１ｂに当接され、有底カップ状の凹部３ａが形成されるストレーナカバーであり、凹部３ａには燃料流入孔４が開口する。
【００１０】
そして、ポンプカバー１の上方鍔部１ａ上にプレッシャーレギュレターＲを備えるポンプカバー１３が当接配置されて固定されるもので、これによるとプレッシャーレギュレターＲの排出孔Ｒｄは連通孔１５ａを介してポンプ収納凹部１ｃ内に開口する。
一方、ポンプボデー１の係止段部１ｅ上には平板状をなす仕切壁５が配置され、仕切壁及び下方鍔部１ｂ上にストレーナカバー３が当接配置されて固定される。
以上によると、仕切壁５の上方のポンプ収納凹部１ｃにポンプ室６が形成され、仕切壁５の下方にストレーナカバー３の凹部３ａによって燃料流入室７が形成される。
前記ポンプ室６と燃料流入室７とは仕切壁５によって区分されるとともに燃料流入室７の上方にポンプ室６が形成されることになる。
そしてポンプ室６内に燃料ポンプＰが収納配置されるもので、燃料ポンプＰは、仕切壁５の上面に配置された係止部材１７とポンプカバー１３との間に挟持して配置され、ポンプ吐出路Ｐｂはポンプカバー１３の燃料吐出孔１４内に挿入支持され、ポンプ吸入路Ｐａは仕切壁５を貫通して燃料流入室７内へ突出して配置され、燃料流入室７内に配置されるストレーナＳがこの突出するポンプ吸入路Ｐａに接続配置される。
【００１１】
以上をまとめてみると、仕切壁５によって、ポンプ室６とその下方に燃料流入室７が区分形成され、ポンプ室６内に燃料ポンプＰが収納配置され、ポンプ室６の上方にプレッシャーレギュレターＲの排出孔Ｒｄが連通孔１５ａを介して開口し、更に、ポンプ室６の上方にレギュレター燃料排出孔２が開口する。
又、燃料流入室７内にはストレーナＳが配置され、このストレーナＳは燃料流入室７内に突出するポンプ吸入路Ｐａに接続され、更に燃料流入室７に燃料流入孔４が開口する。
尚、燃料流入孔４は燃料流入管Ｌａを介して燃料タンクに接続され、レギュレター燃料排出孔２はレギュレター排出管Ｌｂを介して燃料タンクに接続され、燃料吐出孔１４は燃料吐出管Ｌｃを介して燃料噴射弁に接続される。
【００１２】
そして、機関の運転時において、燃料タンク内の燃料は燃料流入管Ｌａ、燃料流入孔４を介して燃料流入室７内へ供給され、燃料流入室７内の燃料は、ストレーナＳ、ポンプ吸入路Ｐａを介して燃料ポンプＰ内へ吸入される。
そして、燃料ポンプＰによって昇圧された燃料がポンプ吐出路Ｐｂを介して燃料吐出孔１４内へ吐出される。
一方、燃料吐出孔１４内の燃料の一部は、レギュレター燃料流入孔１６、レギュレター収納凹部１５、流入孔Ｒａを介してプレッシャーレギュレターＲの燃料室Ｒｂ内へ供給され、プレッシャーレギュレターＲの調圧作用によるリターン燃料は、弁座Ｒｃ、排出孔Ｒｄ、連通孔１５ａを介してポンプ室６内へ排出され、ポンプ室６内に排出されたリターン燃料はレギュレター燃料排出孔２、レギュレター排出管Ｌｂより燃料タンク内へ戻される。
一方、燃料吐出孔１４内に吐出される燃料圧力は前記プレッシャーレギュレターの調圧作用によって所定の燃料圧力に調圧されるもので、この調圧された燃料が燃料吐出管Ｌｃより燃料噴射弁へ供給される。
【００１３】
以上によると、プレッシャーレギュレターＲの排出孔Ｒｄに連なる連通孔１５ａがポンプ室６内に開口し、ポンプ吸入路Ｐａに接続されるストレーナＳが、ポンプ室６と仕切壁５によって区分された燃料流入室７内に配置されるので、燃料流入室７にあっては連通孔１５ａから排出されるリターン燃料の影響を一切受けることがない。
従ってリターン燃料によって生ずる気泡が燃料ポンプＰ内に吸入されることが抑止され、燃料ポンプＰから気泡の含まれることのない燃料を燃料噴射弁に向けて供給することができ、これによって燃料噴射弁は、正確で安定した燃料を連続的に機関へ噴射供給でき、良好な機関の運転性を得ることができる。
【００１４】
一方、排出孔Ｒｄ、連通孔１５ａを介してポンプ室６内へ排出されるリターン燃料は、ポンプ室６内へ貯溜され、ポンプ室６の上方に達したリターン燃料はレギュレター燃料排出孔２、レギュレター排出管Ｌｂを介して燃料タンクへ戻される。
【００１５】
ここで、燃料流入室７の上部と、ポンプ室６の上部に開口するレギュレター燃料排出孔２とをエア抜き通路２０によって連絡すると、機関雰囲気温度が上昇し、燃料流入管Ｌａが暖められて燃料流入管Ｌａ内に気泡が生じ、この気泡が燃料流入孔４を介して燃料流入室７内に進入した際にあっても、この燃料流入室７内の気泡を速やかに排出できる。
すなわち、燃料流入室７内に進入する気泡は、燃料流入孔４の容積より大なる容積を有する燃料流入室７内へ進入した際、自身が有する浮力によって燃料流入室７の上部に収束し、この気泡がエア抜き通路２０を介してレギュレター燃料排出孔２内へ良好に排出される。
すなわち、ポンプ室６内にリターン燃料が充分に貯溜されていない状態において、ポンプ室６の上部に開口するレギュレター排出孔２内には空気が存在するもので、燃料流入室７内の気泡は何等の抵抗を受けることなくレギュレター排出孔２に排出される。
一方、ポンプ室６内にリターン燃料が充分に貯溜され、ポンプ室６からレギュレター燃料排出孔２、レギュレター排出管Ｌｂに向けてリターン燃料の流れが生ずる際には、このリターン燃料の燃料流れによって生ずる圧力によって気泡はエア抜き通路２０よりレギュレター燃料排出孔２内へ吸出される。
【図面の簡単な説明】
【００１６】
【図１】本発明になる燃料ポンプユニット装置の一実施例を示す要部縦断面図。
【図２】従来の燃料ポンプユニット装置を示す要部縦断面図。
【符号の説明】
【００１７】
１ｃ        ポンプ収納凹部
２          レギュレター燃料排出孔
４          燃料流入孔
５          仕切壁
６          ポンプ室
７          燃料流入室
１３        ポンプカバー
Ｐ          燃料ポンプ
Ｓ          ストレーナ
Ｒ          プレッシャーレギュレター
【図１】
2006152814.tif 000003
【図２】
2006152814.tif 000004